(57)【要約】      （修正有）【課題】Ｔシャツを取るときの利便性を高めたＴシャツの掛け装置を提供する。【解決手段】本体１０を含み、前記本体１０の中には掛けチャンバ１１が設置され、前記掛けチャンバ１１の中には上下に対称的な掛けバー１２が回転できるように設置され、前記掛けバー１２の間において前記掛けチャンバの１１中には固定バー１５が固定的に設置され、前記掛けチャンバ１１の両側には上下に対称的なガイド溝１３が連通し設置され、前記ガイド溝１３の一つの側には回転溝１４が連通し設置され、本発明は構造が簡単で、操作が便利であり、モータにより上側または下側の掛けバー１１を駆動しその上にあるＴシャツを連れて本体１０の中間まで回転させ、直接的にＴシャツを取るのに便利であり、該装置は操作が便利であり、時間を節約し、装置が占める空間が小さい。【選択図】図１
2020151430.tif 000002
【特許請求の範囲】
【請求項１】
本体を含み、前記本体の中には掛けチャンバが設置され、前記掛けチャンバの中には上下に対称的な掛けバーが回転できるように設置され、前記掛けバーの間において前記掛けチャンバの中には固定バーが固定的に設置され、前記掛けチャンバの両側には上下に対称的なガイド溝が連通し設置され、前記ガイド溝の一つの側には回転溝が連通し設置され、前記掛けバーの両端が前記回転溝の中に插入され、かつ前記掛けバーの両端には固定ブロックが固定的に設置され、前記固定ブロックの中にはロック溝が設置され、前記回転溝のうち前記掛けチャンバから離れている側にはスライド溝が連通し設置され、前記スライド溝の中には前記ロック溝と引掛って接続されるロックブロックがスライドできるように設置され、前記掛けチャンバの中にはロック装置が上下に対称的に設置され、上側の前記ロック装置と上側の前記スライド溝との間には接続溝が連通し設置され、前記接続溝の中には上側の前記ロック装置と前記ロックブロックとを接続できる接続バーがスライドできるように設置され、前記接続バーと前記接続溝との間には圧縮ばねが固定的に設置され、下側の前記ロック装置と下側の前記スライド溝との間には接続チャンバが連通し設置され、前記接続チャンバの中には下側の前記ロック装置と前記ロックブロックとを接続できる連接棒がスライドできるように設置され、前記連接棒と前記接続チャンバとの間にはトーションバネが固定的に設置され、前記回転溝の後側には回転チャンバが連通し設置され、前記回転チャンバの中には上下に対称的な回転軸が回転できるように設置され、前記回転軸には回転バーが左右に対称的に固定的に設置され、前記回転バーの前端が前記回転溝の中に插入され、かつ前記固定ブロックと回転できるように接続され、前記回転バーにはスライドチャンバが設置され、前記スライドチャンバにはスライドブロックがスライドできるように設置され、前記回転チャンバの中には昇降装置が上下に対称的に設置され、前記昇降装置と同じ側の前記スライドブロックとが回転できるように接続され、前記回転チャンバの後側には動力チャンバが設置され、前記動力チャンバの中には動力ブロックがスライドできるように設置され、前記動力ブロックの中にはモータが固定的に設置され、前記モータには上下に対称的な動力軸が動力が伝達できるように接続され、前記動力チャンバにはネジ山溝が上下に連通し設置され、前記ネジ山溝のうち前記動力チャンバから離れている側には空き溝が連通し設置され、前記動力軸の一端には前記空き溝の中に插入されるスプライン軸が固定的に設置され、前記スプライン軸と前記昇降装置とがスプラインにより接続される；前記モータが作動し上下側の前記回転バーを駆動し独立的に回転させ、上下側の前記掛けバーにあるＴシャツを前記固定バーの前側まで移動することを特徴とするＴシャツの掛け装置。
【請求項２】
前記ロック装置は移動溝を含み、前記移動溝の中には移動ブロックがスライドできるように設置され、前記移動ブロックと前記移動溝との間には伸縮ばねが固定的に設置され、前記移動ブロックには引掛り溝が左右に対称的に設置され、前記移動溝の両側にはプッシュ溝が連通し設置され、前記プッシュ溝の中には前記引掛り溝と引掛って接続されるプッシュバーがスライドできるように設置され、上側の前記プッシュバーと前記接続バーとが固定的に接続され、下側の前記プッシュバーと前記連接棒とが固定的に接続され、前記移動溝の右側には噛合チャンバが連通し設置され、前記噛合チャンバの中には前記移動ブロックと噛合する回転歯車が回転できるように設置され、前記回転歯車のうち前記掛けチャンバから離れている側の端面には第一傘歯車が固定的に設置され、前記噛合チャンバの中には歯車軸により前記第一傘歯車と噛合する第二傘歯車が回転できるように設置され、前記空き溝の左側には押し溝が連通し設置され、前記押し溝の中にはプッシュブロックがスライドできるように設置され、前記押し溝のうち前記回転チャンバから離れている側には伝動溝が連通し設置され、前記伝動溝の中には心棒により前記プッシュブロックと噛合する伝動歯車が回転できるように設置され、前記心棒と同じ側の前記歯車軸とがベルトにより動力が伝達できるように接続される；前記プッシュブロックが前に移動し前記プッシュバーを前記掛けチャンバの両側に移動させ前記掛けバーのロックを解除させることを特徴とする請求項１に記載のＴシャツの掛け装置。
【請求項３】
前記昇降装置は前記回転チャンバの内壁の中に上下に対称的に、かつ連通し設置される開き溝を含み、前記開き溝の中にはネジ山軸が回転できるように設置され、前記ネジ山軸には昇降バーがネジ山により接続され、前記昇降バーの一端が前記回転チャンバの中に插入され、かつ同じ側の前記スライドブロックと回転できるように接続され、前記昇降バーの左端にはガイドスライドブロックが固定的に設置され、前記開き溝の一つの側と前記空き溝との間にはベルト溝が連通し設置され、前記ネジ山軸の一端が前記ベルト溝の一つの端壁と回転できるように接続され、前記ベルト溝の中には前記スプライン軸とスプラインにより接続されるプーリが回転できるように設置され、前記プーリと前記ネジ山軸との間が歯状ベルトにより動力が伝達できるように接続される；前記ネジ山軸が回転し前記昇降バーを向かい合って移動させ、前記回転バーをプッシュし回転させることを特徴とする請求項１に記載のＴシャツの掛け装置。
【発明の詳細な説明】
【技術分野】
【０００１】
本発明は日常用品技術分野を取り上げて、具体的にはＴシャツの掛け装置である。
【背景技術】
【０００２】
現在のＴシャツの掛け装置は横式置きと縦式置きとに分けられ、横式置きの掛け装置は占める空間が大きく、空間の利用率が低く、従って縦式装置が発展の方向であり、しかし、縦掛け装置の高さの範囲が大きいため、その上側にあるＴシャツを取るときは竿上げ棒などの補助道具が必要となり、下側にあるＴシャツを取るとき屈める必要があり、非常に不便であり、また装置の操作が複雑である。
従って、既存技術のＴシャツの掛け装置を更に改善する必要があり、これによりＴシャツを取るときの利便性を高める。
【先行技術文献】
【特許文献】
【０００３】
【特許文献１】中国特許出願公開第１０８９９１７６０号明細書
【発明の概要】
【発明が解決しようとする課題】
【０００４】
本発明の目的はＴシャツの掛け装置を提供し、それは上記の現在の技術中の問題を解決できる。
【課題を解決するための手段】
【０００５】
本発明のＴシャツの掛け装置は、本体を含み、前記本体の中には掛けチャンバが設置され、前記掛けチャンバの中には上下に対称的な掛けバーが回転できるように設置され、前記掛けバーの間において前記掛けチャンバの中には固定バーが固定的に設置され、前記掛けチャンバの両側には上下に対称的なガイド溝が連通し設置され、前記ガイド溝の一つの側には回転溝が連通し設置され、前記掛けバーの両端が前記回転溝の中に插入され、かつ前記掛けバーの両端には固定ブロックが固定的に設置され、前記固定ブロックの中にはロック溝が設置され、前記回転溝のうち前記掛けチャンバから離れている側にはスライド溝が連通し設置され、前記スライド溝の中には前記ロック溝と引掛って接続されるロックブロックがスライドできるように設置され、前記掛けチャンバの中にはロック装置が上下に対称的に設置され、上側の前記ロック装置と上側の前記スライド溝との間には接続溝が連通し設置され、前記接続溝の中には上側の前記ロック装置と前記ロックブロックとを接続できる接続バーがスライドできるように設置され、前記接続バーと前記接続溝との間には圧縮ばねが固定的に設置され、下側の前記ロック装置と下側の前記スライド溝との間には接続チャンバが連通し設置され、前記接続チャンバの中には下側の前記ロック装置と前記ロックブロックとを接続できる連接棒がスライドできるように設置され、前記連接棒と前記接続チャンバとの間にはトーションバネが固定的に設置され、前記回転溝の後側には回転チャンバが連通し設置され、前記回転チャンバの中には上下に対称的な回転軸が回転できるように設置され、前記回転軸には回転バーが左右に対称的に固定的に設置され、前記回転バーの前端が前記回転溝の中に插入され、かつ前記固定ブロックと回転できるように接続され、前記回転バーにはスライドチャンバが設置され、前記スライドチャンバにはスライドブロックがスライドできるように設置され、前記回転チャンバの中には昇降装置が上下に対称的に設置され、前記昇降装置と同じ側の前記スライドブロックとが回転できるように接続され、前記回転チャンバの後側には動力チャンバが設置され、前記動力チャンバの中には動力ブロックがスライドできるように設置され、前記動力ブロックの中にはモータが固定的に設置され、前記モータには上下に対称的な動力軸が動力が伝達できるように接続され、前記動力チャンバにはネジ山溝が上下に連通し設置され、前記ネジ山溝のうち前記動力チャンバから離れている側には空き溝が連通し設置され、前記動力軸の一端には前記空き溝の中に插入されるスプライン軸が固定的に設置され、前記スプライン軸と前記昇降装置とがスプラインにより接続される；前記モータが作動し上下側の前記回転バーを駆動し独立的に回転させ、上下側の前記掛けバーにあるＴシャツを前記固定バーの前側まで移動する。
【０００６】
更の技術プラン、前記ロック装置は移動溝を含み、前記移動溝の中には移動ブロックがスライドできるように設置され、前記移動ブロックと前記移動溝との間には伸縮ばねが固定的に設置され、前記移動ブロックには引掛り溝が左右に対称的に設置され、前記移動溝の両側にはプッシュ溝が連通し設置され、前記プッシュ溝の中には前記引掛り溝と引掛って接続されるプッシュバーがスライドできるように設置され、上側の前記プッシュバーと前記接続バーとが固定的に接続され、下側の前記プッシュバーと前記連接棒とが固定的に接続され、前記移動溝の右側には噛合チャンバが連通し設置され、前記噛合チャンバの中には前記移動ブロックと噛合する回転歯車が回転できるように設置され、前記回転歯車のうち前記掛けチャンバから離れている側の端面には第一傘歯車が固定的に設置され、前記噛合チャンバの中には歯車軸により前記第一傘歯車と噛合する第二傘歯車が回転できるように設置され、前記空き溝の左側には押し溝が連通し設置され、前記押し溝の中にはプッシュブロックがスライドできるように設置され、前記押し溝のうち前記回転チャンバから離れている側には伝動溝が連通し設置され、前記伝動溝の中には心棒により前記プッシュブロックと噛合する伝動歯車が回転できるように設置され、前記心棒と同じ側の前記歯車軸とがベルトにより動力が伝達できるように接続される；前記プッシュブロックが前に移動し前記プッシュバーを前記掛けチャンバの両側に移動させ前記掛けバーのロックを解除させる。
【０００７】
更の技術プラン、前記昇降装置は前記回転チャンバの内壁の中に上下に対称的に、かつ連通し設置される開き溝を含み、前記開き溝の中にはネジ山軸が回転できるように設置され、前記ネジ山軸には昇降バーがネジ山により接続され、前記昇降バーの一端が前記回転チャンバの中に插入され、かつ同じ側の前記スライドブロックと回転できるように接続され、前記昇降バーの左端にはガイドスライドブロックが固定的に設置され、前記開き溝の一つの側と前記空き溝との間にはベルト溝が連通し設置され、前記ネジ山軸の一端が前記ベルト溝の一つの端壁と回転できるように接続され、前記ベルト溝の中には前記スプライン軸とスプラインにより接続されるプーリが回転できるように設置され、前記プーリと前記ネジ山軸との間が歯状ベルトにより動力が伝達できるように接続される；前記ネジ山軸が回転し前記昇降バーを向かい合って移動させ、前記回転バーをプッシュし回転させる。
【発明の効果】
【０００８】
本発明の有益的な効果は：本発明は構造が簡単で、操作が便利であり、モータにより上側または下側の掛けバーを駆動しその上にあるＴシャツを連れて本体の中間まで回転させ、直接的にＴシャツを取るのに便利であり、該装置は操作が便利であり、時間を節約し、装置が占める空間が小さい。
【図面の簡単な説明】
【０００９】
【図１】図１は本発明のＴシャツの掛け装置の内部全体構成略図である；
【図２】図２は本発明の図１のＡ−Ａ方向の構成略図である；
【図３】図３は本発明の図１のＢの拡大構成略図である；
【図４】図４は本発明の図３のＣ−Ｃ方向の構成略図である；
【図５】図５は本発明の図２のＤの拡大構成略図である。
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参照し、本発明のＴシャツの掛け装置は、本体１０を含み、前記本体１０の中には掛けチャンバ１１が設置され、前記掛けチャンバ１１の中には上下に対称的な掛けバー１２が回転できるように設置され、前記掛けバー１２の間において前記掛けチャンバ１１の中には固定バー１５が固定的に設置され、前記掛けチャンバ１１の両側には上下に対称的なガイド溝１３が連通し設置され、前記ガイド溝１３の一つの側には回転溝１４が連通し設置され、前記掛けバー１２の両端が前記回転溝１４の中に插入され、かつ前記掛けバー１２の両端には固定ブロック１６が固定的に設置され、前記固定ブロック１６の中にはロック溝１８が設置され、前記回転溝１４のうち前記掛けチャンバ１１から離れている側にはスライド溝２３が連通し設置され、前記スライド溝２３の中には前記ロック溝１８と引掛って接続されるロックブロック２４がスライドできるように設置され、前記掛けチャンバ１１の中にはロック装置１００が上下に対称的に設置され、上側の前記ロック装置１００と上側の前記スライド溝２３との間には接続溝２５が連通し設置され、前記接続溝２５の中には上側の前記ロック装置１００と前記ロックブロック２４とを接続できる接続バー２６がスライドできるように設置され、前記接続バー２６と前記接続溝２５との間には圧縮ばね２７が固定的に設置され、下側の前記ロック装置１００と下側の前記スライド溝２３との間には接続チャンバ４１が連通し設置され、前記接続チャンバ４１の中には下側の前記ロック装置１００と前記ロックブロック２４とを接続できる連接棒４２がスライドできるように設置され、前記連接棒４２と前記接続チャンバ４１との間にはトーションバネ４３が固定的に設置され、前記回転溝１４の後側には回転チャンバ２０が連通し設置され、前記回転チャンバ２０の中には上下に対称的な回転軸１９が回転できるように設置され、前記回転軸１９には回転バー１７が左右に対称的に固定的に設置され、前記回転バー１７の前端が前記回転溝１４の中に插入され、かつ前記固定ブロック１６と回転できるように接続され、前記回転バー１７にはスライドチャンバ２１が設置され、前記スライドチャンバ２１にはスライドブロック２２がスライドできるように設置され、前記回転チャンバ２０の中には昇降装置２００が上下に対称的に設置され、前記昇降装置２００と同じ側の前記スライドブロック２２とが回転できるように接続され、前記回転チャンバ２０の後側には動力チャンバ４４が設置され、前記動力チャンバ４４の中には動力ブロック４５がスライドできるように設置され、前記動力ブロック４５の中にはモータ４６が固定的に設置され、前記モータ４６には上下に対称的な動力軸４７が動力が伝達できるように接続され、前記動力チャンバ４４にはネジ山溝４８が上下に連通し設置され、前記ネジ山溝４８のうち前記動力チャンバ４４から離れている側には空き溝５０が連通し設置され、前記動力軸４７の一端には前記空き溝５０の中に插入されるスプライン軸４９が固定的に設置され、前記スプライン軸４９と前記昇降装置２００とがスプラインにより接続される；前記モータ４６が作動し上下側の前記回転バー１７を駆動し独立的に回転させ、上下側の前記掛けバー１２にあるＴシャツを前記固定バー１５の前側まで移動する。
【００１２】
有益的には、前記ロック装置１００は移動溝３０を含み、前記移動溝３０の中には移動ブロック３１がスライドできるように設置され、前記移動ブロック３１と前記移動溝３０との間には伸縮ばね３３が固定的に設置され、前記移動ブロック３１には引掛り溝３２が左右に対称的に設置され、前記移動溝３０の両側にはプッシュ溝２８が連通し設置され、前記プッシュ溝２８の中には前記引掛り溝３２と引掛って接続されるプッシュバー２９がスライドできるように設置され、上側の前記プッシュバー２９と前記接続バー２６とが固定的に接続され、下側の前記プッシュバー２９と前記連接棒４２とが固定的に接続され、前記移動溝３０の右側には噛合チャンバ３４が連通し設置され、前記噛合チャンバ３４の中には前記移動ブロック３１と噛合する回転歯車３５が回転できるように設置され、前記回転歯車３５のうち前記掛けチャンバ１１から離れている側の端面には第一傘歯車３６が固定的に設置され、前記噛合チャンバ３４の中には歯車軸３８により前記第一傘歯車３６と噛合する第二傘歯車３７が回転できるように設置され、前記空き溝５０の左側には押し溝５１が連通し設置され、前記押し溝５１の中にはプッシュブロック５２がスライドできるように設置され、前記押し溝５１のうち前記回転チャンバ２０から離れている側には伝動溝５５が連通し設置され、前記伝動溝５５の中には心棒５３により前記プッシュブロック５２と噛合する伝動歯車５４が回転できるように設置され、前記心棒５３と同じ側の前記歯車軸３８とがベルト３９により動力が伝達できるように接続される；前記プッシュブロック５２が前に移動し前記プッシュバー２９を前記掛けチャンバ１１の両側に移動させ前記掛けバー１２のロックを解除させる。
【００１３】
有益的には、前記昇降装置２００は前記回転チャンバ２０の内壁の中に上下に対称的に、かつ連通し設置される開き溝５８を含み、前記開き溝５８の中にはネジ山軸５９が回転できるように設置され、前記ネジ山軸５９には昇降バー６０がネジ山により接続され、前記昇降バー６０の一端が前記回転チャンバ２０の中に插入され、かつ同じ側の前記スライドブロック２２と回転できるように接続され、前記昇降バー６０の左端にはガイドスライドブロック６１が固定的に設置され、前記開き溝５８の一つの側と前記空き溝５０との間にはベルト溝６２が連通し設置され、前記ネジ山軸５９の一端が前記ベルト溝６２の一つの端壁と回転できるように接続され、前記ベルト溝６２の中には前記スプライン軸４９とスプラインにより接続されるプーリ５６が回転できるように設置され、前記プーリ５６と前記ネジ山軸５９との間が歯状ベルト５７により動力が伝達できるように接続される；前記ネジ山軸５９が回転し前記昇降バー６０を向かい合って移動させ、前記回転バー１７をプッシュし回転させる。
【００１４】
初期状態に、掛けバー１２が掛けチャンバ１１の中に位置し、ロックブロック２４が固定ブロック１６をロックし、動力ブロック４５が動力チャンバ４４の中間に位置する。
【００１５】
装置を始動する時、モータ４６が正方向に回転し、これにより動力軸４７がネジ山溝４８の作用のもとで回転し上昇し、上側のスプライン軸４９が上側のプッシュブロック５２を押し前に移動させ、上側の伝動歯車５４が回転し、上側のベルト３９により上側の回転歯車３５を回転させ、これにより上側の移動ブロック３１が前に移動し上側のプッシュバー２９をプッシュし両側に移動させ、これにより上側のロックブロック２４を駆動し両側に移動させ上側の固定ブロック１６のロックを解除させ、上側のスプライン軸４９と上側のプーリ５６とがスプラインにより接続されるとき、上側のスプライン軸４９の回転に伴い上側のネジ山軸５９を回転させ、これにより上側の昇降バー６０が降下し上側の回転バー１７をプッシュし回転させ、上側の掛けバー１２を固定バー１５の前側まで下に回転させ、Ｔシャツを取るに便利であり、リセットするとき、モータ４６が逆方向に回転し、上側の動力軸４７を反転させまた降下させ、これにより上側の掛けバー１２がリセットしロックされ、下側のＴシャツを取るとき、モータ４６が逆方向に回転し動力軸４７を回転させまた降下させ、下側の掛けバー１２のロックを解除させ、下側の回転バー１７を駆動し回転させ、下側の掛けバー１２を固定バー１５の前側まで上に回転させ、Ｔシャツを取るに便利であり、モータ４６が正方向に回転すれば下側の掛けバー１２をリセットさせ、かつロックさせることができる。
【００１６】
本発明の有益的な効果は：本発明は構造が簡単で、操作が便利であり、モータにより上側または下側の掛けバーを駆動しその上にあるＴシャツを連れて本体の中間まで回転させ、直接的にＴシャツを取るのに便利であり、該装置は操作が便利であり、時間を節約し、装置が占める空間が小さい。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020151430.tif 000003
【図２】
2020151430.tif 000004
【図３】
2020151430.tif 000005
【図４】
2020151430.tif 000006
【図５】
2020151430.tif 000007
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
本体を含み、前記本体の中には掛けチャンバが設置され、前記掛けチャンバの中には上下に対称的な掛けバーが回転できるように設置され、前記掛けバーの間において前記掛けチャンバの中には固定バーが固定的に設置され、前記掛けチャンバの両側には上下に対称的なガイド溝が連通し設置され、前記ガイド溝の一つの側には回転溝が連通し設置され、前記掛けバーの両端が前記回転溝の中に挿入され、かつ前記掛けバーの両端には固定ブロックが固定的に設置され、前記固定ブロックの中にはロック溝が設置され、前記回転溝のうち前記掛けチャンバから離れている側にはスライド溝が連通し設置され、前記スライド溝の中には前記ロック溝と引掛って接続されるロックブロックがスライドできるように設置され、前記掛けチャンバの中にはロック装置が上下に対称的に設置され、上側の前記ロック装置と上側の前記スライド溝との間には接続溝が連通し設置され、前記接続溝の中には上側の前記ロック装置と前記ロックブロックとを接続できる接続バーがスライドできるように設置され、前記接続バーと前記接続溝との間には圧縮ばねが固定的に設置され、下側の前記ロック装置と下側の前記スライド溝との間には接続チャンバが連通し設置され、前記接続チャンバの中には下側の前記ロック装置と前記ロックブロックとを接続できる連接棒がスライドできるように設置され、前記連接棒と前記接続チャンバとの間にはトーションバネが固定的に設置され、前記回転溝の後側には回転チャンバが連通し設置され、前記回転チャンバの中には上下に対称的な回転軸が回転できるように設置され、前記回転軸には回転バーが左右に対称的に固定的に設置され、前記回転バーの前端が前記回転溝の中に挿入され、かつ前記固定ブロックと回転できるように接続され、前記回転バーにはスライドチャンバが設置され、前記スライドチャンバにはスライドブロックがスライドできるように設置され、前記回転チャンバの中には昇降装置が上下に対称的に設置され、前記昇降装置と同じ側の前記スライドブロックとが回転できるように接続され、前記回転チャンバの後側には動力チャンバが設置され、前記動力チャンバの中には動力ブロックがスライドできるように設置され、前記動力ブロックの中にはモータが固定的に設置され、前記モータには上下に対称的な動力軸が動力が伝達できるように接続され、前記動力チャンバにはネジ山溝が上下に連通し設置され、前記ネジ山溝のうち前記動力チャンバから離れている側には空き溝が連通し設置され、前記動力軸の一端には前記空き溝の中に挿入されるスプライン軸が固定的に設置され、前記スプライン軸と前記昇降装置とがスプラインにより接続され、前記モータが作動し上下側の前記回転バーを駆動し独立的に回転させ、上下側の前記掛けバーにあるＴシャツを前記固定バーの前側まで移動することを特徴とするＴシャツの掛け装置。
【請求項２】
前記ロック装置は移動溝を含み、前記移動溝の中には移動ブロックがスライドできるように設置され、前記移動ブロックと前記移動溝との間には伸縮ばねが固定的に設置され、前記移動ブロックには引掛り溝が左右に対称的に設置され、前記移動溝の両側にはプッシュ溝が連通し設置され、前記プッシュ溝の中には前記引掛り溝と引掛って接続されるプッシュバーがスライドできるように設置され、上側の前記プッシュバーと前記接続バーとが固定的に接続され、下側の前記プッシュバーと前記連接棒とが固定的に接続され、前記移動溝の右側には噛合チャンバが連通し設置され、前記噛合チャンバの中には前記移動ブロックと噛合する回転歯車が回転できるように設置され、前記回転歯車のうち前記掛けチャンバから離れている側の端面には第一傘歯車が固定的に設置され、前記噛合チャンバの中には歯車軸により前記第一傘歯車と噛合する第二傘歯車が回転できるように設置され、前記空き溝の左側には押し溝が連通し設置され、前記押し溝の中にはプッシュブロックがスライドできるように設置され、前記押し溝のうち前記回転チャンバから離れている側には伝動溝が連通し設置され、前記伝動溝の中には心棒により前記プッシュブロックと噛合する伝動歯車が回転できるように設置され、前記心棒と同じ側の前記歯車軸とがベルトにより動力が伝達できるように接続され、前記プッシュブロックが前に移動し前記プッシュバーを前記掛けチャンバの両側に移動させ前記掛けバーのロックを解除させることを特徴とする請求項１に記載のＴシャツの掛け装置。
【請求項３】
前記昇降装置は前記回転チャンバの内壁の中に上下に対称的に、かつ連通し設置される開き溝を含み、前記開き溝の中にはネジ山軸が回転できるように設置され、前記ネジ山軸には昇降バーがネジ山により接続され、前記昇降バーの一端が前記回転チャンバの中に挿入され、かつ同じ側の前記スライドブロックと回転できるように接続され、前記昇降バーの左端にはガイドスライドブロックが固定的に設置され、前記開き溝の一つの側と前記空き溝との間にはベルト溝が連通し設置され、前記ネジ山軸の一端が前記ベルト溝の一つの端壁と回転できるように接続され、前記ベルト溝の中には前記スプライン軸とスプラインにより接続されるプーリが回転できるように設置され、前記プーリと前記ネジ山軸との間が歯状ベルトにより動力が伝達できるように接続され、前記ネジ山軸が回転し前記昇降バーを向かい合って移動させ、前記回転バーをプッシュし回転させることを特徴とする請求項１に記載のＴシャツの掛け装置。
【手続補正２】
【補正対象書類名】明細書
【補正対象項目名】全文
【補正方法】変更
【補正の内容】
【発明の詳細な説明】
【技術分野】
【０００１】
本発明は日常用品技術分野を取り上げて、具体的にはＴシャツの掛け装置である。
【背景技術】
【０００２】
現在のＴシャツの掛け装置は横式置きと縦式置きとに分けられ、横式置きの掛け装置は占める空間が大きく、空間の利用率が低く、従って縦式装置が発展の方向であり、しかし、縦掛け装置の高さの範囲が大きいため、その上側にあるＴシャツを取るときは竿上げ棒などの補助道具が必要となり、下側にあるＴシャツを取るとき屈める必要があり、非常に不便であり、また装置の操作が複雑である。
従って、既存技術のＴシャツの掛け装置を更に改善する必要があり、これによりＴシャツを取るときの利便性を高める。
【先行技術文献】
【特許文献】
【０００３】
【特許文献１】中国特許出願公開第１０８９９１７６０号明細書
【発明の概要】
【発明が解決しようとする課題】
【０００４】
本発明の目的はＴシャツの掛け装置を提供し、それは上記の現在の技術中の問題を解決できる。
【課題を解決するための手段】
【０００５】
本発明のＴシャツの掛け装置は、本体を含み、前記本体の中には掛けチャンバが設置され、前記掛けチャンバの中には上下に対称的な掛けバーが回転できるように設置され、前記掛けバーの間において前記掛けチャンバの中には固定バーが固定的に設置され、前記掛けチャンバの両側には上下に対称的なガイド溝が連通し設置され、前記ガイド溝の一つの側には回転溝が連通し設置され、前記掛けバーの両端が前記回転溝の中に挿入され、かつ前記掛けバーの両端には固定ブロックが固定的に設置され、前記固定ブロックの中にはロック溝が設置され、前記回転溝のうち前記掛けチャンバから離れている側にはスライド溝が連通し設置され、前記スライド溝の中には前記ロック溝と引掛って接続されるロックブロックがスライドできるように設置され、前記掛けチャンバの中にはロック装置が上下に対称的に設置され、上側の前記ロック装置と上側の前記スライド溝との間には接続溝が連通し設置され、前記接続溝の中には上側の前記ロック装置と前記ロックブロックとを接続できる接続バーがスライドできるように設置され、前記接続バーと前記接続溝との間には圧縮ばねが固定的に設置され、下側の前記ロック装置と下側の前記スライド溝との間には接続チャンバが連通し設置され、前記接続チャンバの中には下側の前記ロック装置と前記ロックブロックとを接続できる連接棒がスライドできるように設置され、前記連接棒と前記接続チャンバとの間にはトーションバネが固定的に設置され、前記回転溝の後側には回転チャンバが連通し設置され、前記回転チャンバの中には上下に対称的な回転軸が回転できるように設置され、前記回転軸には回転バーが左右に対称的に固定的に設置され、前記回転バーの前端が前記回転溝の中に挿入され、かつ前記固定ブロックと回転できるように接続され、前記回転バーにはスライドチャンバが設置され、前記スライドチャンバにはスライドブロックがスライドできるように設置され、前記回転チャンバの中には昇降装置が上下に対称的に設置され、前記昇降装置と同じ側の前記スライドブロックとが回転できるように接続され、前記回転チャンバの後側には動力チャンバが設置され、前記動力チャンバの中には動力ブロックがスライドできるように設置され、前記動力ブロックの中にはモータが固定的に設置され、前記モータには上下に対称的な動力軸が動力が伝達できるように接続され、前記動力チャンバにはネジ山溝が上下に連通し設置され、前記ネジ山溝のうち前記動力チャンバから離れている側には空き溝が連通し設置され、前記動力軸の一端には前記空き溝の中に挿入されるスプライン軸が固定的に設置され、前記スプライン軸と前記昇降装置とがスプラインにより接続され、前記モータが作動し上下側の前記回転バーを駆動し独立的に回転させ、上下側の前記掛けバーにあるＴシャツを前記固定バーの前側まで移動する。
【０００６】
更の技術プラン、前記ロック装置は移動溝を含み、前記移動溝の中には移動ブロックがスライドできるように設置され、前記移動ブロックと前記移動溝との間には伸縮ばねが固定的に設置され、前記移動ブロックには引掛り溝が左右に対称的に設置され、前記移動溝の両側にはプッシュ溝が連通し設置され、前記プッシュ溝の中には前記引掛り溝と引掛って接続されるプッシュバーがスライドできるように設置され、上側の前記プッシュバーと前記接続バーとが固定的に接続され、下側の前記プッシュバーと前記連接棒とが固定的に接続され、前記移動溝の右側には噛合チャンバが連通し設置され、前記噛合チャンバの中には前記移動ブロックと噛合する回転歯車が回転できるように設置され、前記回転歯車のうち前記掛けチャンバから離れている側の端面には第一傘歯車が固定的に設置され、前記噛合チャンバの中には歯車軸により前記第一傘歯車と噛合する第二傘歯車が回転できるように設置され、前記空き溝の左側には押し溝が連通し設置され、前記押し溝の中にはプッシュブロックがスライドできるように設置され、前記押し溝のうち前記回転チャンバから離れている側には伝動溝が連通し設置され、前記伝動溝の中には心棒により前記プッシュブロックと噛合する伝動歯車が回転できるように設置され、前記心棒と同じ側の前記歯車軸とがベルトにより動力が伝達できるように接続され、前記プッシュブロックが前に移動し前記プッシュバーを前記掛けチャンバの両側に移動させ前記掛けバーのロックを解除させる。
【０００７】
更の技術プラン、前記昇降装置は前記回転チャンバの内壁の中に上下に対称的に、かつ連通し設置される開き溝を含み、前記開き溝の中にはネジ山軸が回転できるように設置され、前記ネジ山軸には昇降バーがネジ山により接続され、前記昇降バーの一端が前記回転チャンバの中に挿入され、かつ同じ側の前記スライドブロックと回転できるように接続され、前記昇降バーの左端にはガイドスライドブロックが固定的に設置され、前記開き溝の一つの側と前記空き溝との間にはベルト溝が連通し設置され、前記ネジ山軸の一端が前記ベルト溝の一つの端壁と回転できるように接続され、前記ベルト溝の中には前記スプライン軸とスプラインにより接続されるプーリが回転できるように設置され、前記プーリと前記ネジ山軸との間が歯状ベルトにより動力が伝達できるように接続され、前記ネジ山軸が回転し前記昇降バーを向かい合って移動させ、前記回転バーをプッシュし回転させる。
【発明の効果】
【０００８】
本発明の有益的な効果は：本発明は構造が簡単で、操作が便利であり、モータにより上側または下側の掛けバーを駆動しその上にあるＴシャツを連れて本体の中間まで回転させ、直接的にＴシャツを取るのに便利であり、該装置は操作が便利であり、時間を節約し、装置が占める空間が小さい。
【図面の簡単な説明】
【０００９】
【図１】図１は本発明のＴシャツの掛け装置の内部全体構成略図
【図２】図２は本発明の図１のＡ−Ａ方向の構成略図
【図３】図３は本発明の図１のＢの拡大構成略図
【図４】図４は本発明の図３のＣ−Ｃ方向の構成略図
【図５】図５は本発明の図２のＤの拡大構成略図
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参照し、本発明のＴシャツの掛け装置は、本体１０を含み、前記本体１０の中には掛けチャンバ１１が設置され、前記掛けチャンバ１１の中には上下に対称的な掛けバー１２が回転できるように設置され、前記掛けバー１２の間において前記掛けチャンバ１１の中には固定バー１５が固定的に設置され、前記掛けチャンバ１１の両側には上下に対称的なガイド溝１３が連通し設置され、前記ガイド溝１３の一つの側には回転溝１４が連通し設置され、前記掛けバー１２の両端が前記回転溝１４の中に挿入され、かつ前記掛けバー１２の両端には固定ブロック１６が固定的に設置され、前記固定ブロック１６の中にはロック溝１８が設置され、前記回転溝１４のうち前記掛けチャンバ１１から離れている側にはスライド溝２３が連通し設置され、前記スライド溝２３の中には前記ロック溝１８と引掛って接続されるロックブロック２４がスライドできるように設置され、前記掛けチャンバ１１の中にはロック装置１００が上下に対称的に設置され、上側の前記ロック装置１００と上側の前記スライド溝２３との間には接続溝２５が連通し設置され、前記接続溝２５の中には上側の前記ロック装置１００と前記ロックブロック２４とを接続できる接続バー２６がスライドできるように設置され、前記接続バー２６と前記接続溝２５との間には圧縮ばね２７が固定的に設置され、下側の前記ロック装置１００と下側の前記スライド溝２３との間には接続チャンバ４１が連通し設置され、前記接続チャンバ４１の中には下側の前記ロック装置１００と前記ロックブロック２４とを接続できる連接棒４２がスライドできるように設置され、前記連接棒４２と前記接続チャンバ４１との間にはトーションバネ４３が固定的に設置され、前記回転溝１４の後側には回転チャンバ２０が連通し設置され、前記回転チャンバ２０の中には上下に対称的な回転軸１９が回転できるように設置され、前記回転軸１９には回転バー１７が左右に対称的に固定的に設置され、前記回転バー１７の前端が前記回転溝１４の中に挿入され、かつ前記固定ブロック１６と回転できるように接続され、前記回転バー１７にはスライドチャンバ２１が設置され、前記スライドチャンバ２１にはスライドブロック２２がスライドできるように設置され、前記回転チャンバ２０の中には昇降装置２００が上下に対称的に設置され、前記昇降装置２００と同じ側の前記スライドブロック２２とが回転できるように接続され、前記回転チャンバ２０の後側には動力チャンバ４４が設置され、前記動力チャンバ４４の中には動力ブロック４５がスライドできるように設置され、前記動力ブロック４５の中にはモータ４６が固定的に設置され、前記モータ４６には上下に対称的な動力軸４７が動力が伝達できるように接続され、前記動力チャンバ４４にはネジ山溝４８が上下に連通し設置され、前記ネジ山溝４８のうち前記動力チャンバ４４から離れている側には空き溝５０が連通し設置され、前記動力軸４７の一端には前記空き溝５０の中に挿入されるスプライン軸４９が固定的に設置され、前記スプライン軸４９と前記昇降装置２００とがスプラインにより接続され、前記モータ４６が作動し上下側の前記回転バー１７を駆動し独立的に回転させ、上下側の前記掛けバー１２にあるＴシャツを前記固定バー１５の前側まで移動する。
【００１２】
有益的には、前記ロック装置１００は移動溝３０を含み、前記移動溝３０の中には移動ブロック３１がスライドできるように設置され、前記移動ブロック３１と前記移動溝３０との間には伸縮ばね３３が固定的に設置され、前記移動ブロック３１には引掛り溝３２が左右に対称的に設置され、前記移動溝３０の両側にはプッシュ溝２８が連通し設置され、前記プッシュ溝２８の中には前記引掛り溝３２と引掛って接続されるプッシュバー２９がスライドできるように設置され、上側の前記プッシュバー２９と前記接続バー２６とが固定的に接続され、下側の前記プッシュバー２９と前記連接棒４２とが固定的に接続され、前記移動溝３０の右側には噛合チャンバ３４が連通し設置され、前記噛合チャンバ３４の中には前記移動ブロック３１と噛合する回転歯車３５が回転できるように設置され、前記回転歯車３５のうち前記掛けチャンバ１１から離れている側の端面には第一傘歯車３６が固定的に設置され、前記噛合チャンバ３４の中には歯車軸３８により前記第一傘歯車３６と噛合する第二傘歯車３７が回転できるように設置され、前記空き溝５０の左側には押し溝５１が連通し設置され、前記押し溝５１の中にはプッシュブロック５２がスライドできるように設置され、前記押し溝５１のうち前記回転チャンバ２０から離れている側には伝動溝５５が連通し設置され、前記伝動溝５５の中には心棒５３により前記プッシュブロック５２と噛合する伝動歯車５４が回転できるように設置され、前記心棒５３と同じ側の前記歯車軸３８とがベルト３９により動力が伝達できるように接続され、前記プッシュブロック５２が前に移動し前記プッシュバー２９を前記掛けチャンバ１１の両側に移動させ前記掛けバー１２のロックを解除させる。
【００１３】
有益的には、前記昇降装置２００は前記回転チャンバ２０の内壁の中に上下に対称的に、かつ連通し設置される開き溝５８を含み、前記開き溝５８の中にはネジ山軸５９が回転できるように設置され、前記ネジ山軸５９には昇降バー６０がネジ山により接続され、前記昇降バー６０の一端が前記回転チャンバ２０の中に挿入され、かつ同じ側の前記スライドブロック２２と回転できるように接続され、前記昇降バー６０の左端にはガイドスライドブロック６１が固定的に設置され、前記開き溝５８の一つの側と前記空き溝５０との間にはベルト溝６２が連通し設置され、前記ネジ山軸５９の一端が前記ベルト溝６２の一つの端壁と回転できるように接続され、前記ベルト溝６２の中には前記スプライン軸４９とスプラインにより接続されるプーリ５６が回転できるように設置され、前記プーリ５６と前記ネジ山軸５９との間が歯状ベルト５７により動力が伝達できるように接続され、前記ネジ山軸５９が回転し前記昇降バー６０を向かい合って移動させ、前記回転バー１７をプッシュし回転させる。
【００１４】
初期状態に、掛けバー１２が掛けチャンバ１１の中に位置し、ロックブロック２４が固定ブロック１６をロックし、動力ブロック４５が動力チャンバ４４の中間に位置する。
【００１５】
装置を始動する時、モータ４６が正方向に回転し、これにより動力軸４７がネジ山溝４８の作用のもとで回転し上昇し、上側のスプライン軸４９が上側のプッシュブロック５２を押し前に移動させ、上側の伝動歯車５４が回転し、上側のベルト３９により上側の回転歯車３５を回転させ、これにより上側の移動ブロック３１が前に移動し上側のプッシュバー２９をプッシュし両側に移動させ、これにより上側のロックブロック２４を駆動し両側に移動させ上側の固定ブロック１６のロックを解除させ、上側のスプライン軸４９と上側のプーリ５６とがスプラインにより接続されるとき、上側のスプライン軸４９の回転に伴い上側のネジ山軸５９を回転させ、これにより上側の昇降バー６０が降下し上側の回転バー１７をプッシュし回転させ、上側の掛けバー１２を固定バー１５の前側まで下に回転させ、Ｔシャツを取るに便利であり、リセットするとき、モータ４６が逆方向に回転し、上側の動力軸４７を反転させまた降下させ、これにより上側の掛けバー１２がリセットしロックされ、下側のＴシャツを取るとき、モータ４６が逆方向に回転し動力軸４７を回転させまた降下させ、下側の掛けバー１２のロックを解除させ、下側の回転バー１７を駆動し回転させ、下側の掛けバー１２を固定バー１５の前側まで上に回転させ、Ｔシャツを取るに便利であり、モータ４６が正方向に回転すれば下側の掛けバー１２をリセットさせ、かつロックさせることができる。
【００１６】
本発明の有益的な効果は：本発明は構造が簡単で、操作が便利であり、モータにより上側または下側の掛けバーを駆動しその上にあるＴシャツを連れて本体の中間まで回転させ、直接的にＴシャツを取るのに便利であり、該装置は操作が便利であり、時間を節約し、装置が占める空間が小さい。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。